(57)【要約】【課題】  ポジティブカラム領域の増加およびキセノン（Ｘｅ）分圧の増加を低い放電開始電圧で具現し，同時に発光効率を高めることのできるプラズマディスプレイパネルを提供することにある。【解決手段】  所定の間隔を置いて対向配置される第１基板１０及び第２基板２０と，第１方向に延在して形成されるアドレス電極１２と，アドレス電極１２と離隔して第１方向と交差する第２方向に延在し，各々の放電セル１８，２８に対応して形成される，維持電極１３１及び走査電極１３２と，を備え，維持電極１３１及び走査電極１３２は，第１基板１０から第２基板２０に向かう方向に拡張され，相互に離間し，対向して形成されており，維持電極１３１または走査電極１３２の少なくともいずれかは，放電セルの中心方向に突設される突出部を有することを特徴とする，プラズマディスプレイパネルが提供される。【選択図】    図１
2006147539.tif 000002
【特許請求の範囲】
【請求項１】
所定の間隔を置いて対向配置され，前記所定の間隔による空間が複数の放電セルに区切られる，第１基板及び第２基板と；
前記第１基板及び第２基板の間で，第１方向に延在して形成されるアドレス電極と；
前記第１基板及び第２基板の間で，前記アドレス電極と離隔して前記第１方向と交差する第２方向に延在し，各々の前記放電セルに対応して形成される，第１電極及び第２電極と；
を備え，
前記第１電極及び第２電極は，前記第１基板及び前記第２基板の間で，相互に離隔し，対向して形成されており，前記第１電極または前記第２電極の少なくともいずれかは，前記放電セルの中心方向に突設される突出部を有することを特徴とする，プラズマディスプレイパネル。
【請求項２】
前記第１基板上に，複数の放電空間を隣接して形成する第１隔壁層と；
前記第２基板上に，各々の前記放電空間に対向する複数の放電空間を隣接して形成する第２隔壁層と；
を有し，
前記第１基板及び前記第２基板の対向する一対の放電空間によって，前記放電セルが形成されることを特徴とする，請求項１に記載のプラズマディスプレイパネル。
【請求項３】
前記アドレス電極，前記第１電極，及び前記第２電極は，前記第１隔壁層と前記第２隔壁層との間に位置することを特徴とする，請求項２に記載のプラズマディスプレイパネル。
【請求項４】
前記第２隔壁層によって形成される放電空間は，前記第１隔壁層によって形成される放電空間より大きい容積を有することを特徴とする，請求項２または３に記載のプラズマディスプレイパネル。
【請求項５】
前記第１隔壁層は，前記第１方向に延在する第１隔壁部材を有し，前記第２隔壁層は，前記第１方向に延在する第２隔壁部材を有することを特徴とする，請求項２〜４のいずれかに記載のプラズマディスプレイパネル。
【請求項６】
前記第１隔壁層は，前記第１隔壁部材と交差して形成される第３隔壁部材をさらに有し，前記第２隔壁層は，前記第２隔壁部材と交差して形成される第４隔壁部材をさらに有することを特徴とする，請求項５に記載のプラズマディスプレイパネル。
【請求項７】
前記アドレス電極は，前記第１隔壁層の第１隔壁部材と前記第２隔壁層の第２隔壁部材との間で，前記第１隔壁部材に沿って延在することを特徴とする，請求項５または６に記載のプラズマディスプレイパネル。
【請求項８】
前記アドレス電極は，前記第２方向に隣接する前記放電セルの境界位置に配置されることを特徴とする，請求項１〜７のいずれかに記載のプラズマディスプレイパネル。
【請求項９】
前記第１電極及び前記第２電極は，
前記放電セルに対応する部分に前記第１基板面に垂直な方向に延びて形成される拡張部と；
前記第２方向に隣接する前記放電セルの境界位置に対応する部分に形成される狭小部と；
を有することを特徴とする，請求項１〜８のいずれかに記載のプラズマディスプレイパネル。
【請求項１０】
前記突出部は，前記拡張部から突出されることを特徴とする，請求項９に記載のプラズマディスプレイパネル。
【請求項１１】
前記突出部は，直方体状に突出することを特徴とする，請求項１〜１０のいずれかに記載のプラズマディスプレイパネル。
【請求項１２】
前記第１電極及び第２電極は，金属電極で形成されることを特徴とする，請求項１〜１１のいずれかに記載のプラズマディスプレイパネル。
【請求項１３】
前記第１電極及び前記第２電極と，前記アドレス電極とは，前記第１電極，前記第２電極，及び前記アドレス電極の外面に設けられる誘電層によって絶縁されることを特徴とする，請求項１〜１２のいずれかに記載のプラズマディスプレイパネル。
【請求項１４】
前記誘電層は，外面に保護膜を備えることを特徴とする，請求項１３に記載のプラズマディスプレイパネル。
【請求項１５】
前記第２電極に突出部を有する場合，前記放電セルの一側の前記アドレス電極側に偏って形成されることを特徴とする，請求項１〜１４のいずれかに記載のプラズマディスプレイパネル。
【請求項１６】
前記放電セル内において，前記第２電極の突出部と前記一側のアドレス電極との間の距離は，前記第２電極の突出部と他側のアドレス電極との間の距離より小さく形成されることを特徴とする，請求項１５に記載のプラズマディスプレイパネル。
【請求項１７】
前記第１電極及び前記第２電極の少なくとも一部は，前記アドレス電極と同一平面上に位置して形成されることを特徴とする，請求項１〜１６のいずれかに記載のプラズマディスプレイパネル。
【請求項１８】
前記アドレス電極と前記第１基板面との間の距離は，前記第１電極に突出部を有する場合，前記第１電極と前記第１基板面との間の距離と同一であり，前記第２電極に突出部を有する場合，前記第２電極の突出部と前記第１基板面との間の距離と同一であることを特徴とする，請求項１７に記載のプラズマディスプレイパネル。
【請求項１９】
前記アドレス電極の前記第１基板面に垂直な方向の厚さは，前記第１電極に突出部を有する場合，前記第１電極の突出部の前記第１基板面に垂直な方向の厚さより厚く形成され，前記第２電極に突出部を有する場合，前記第２電極の突出部の前記第１基板面に垂直な方向の厚さより厚く形成されることを特徴とする，請求項１〜１６に記載のプラズマディスプレイパネル。
【請求項２０】
前記放電セル内に形成される蛍光体層は，
前記放電セルの前記第１基板側に形成される第１蛍光体層と；
前記放電セルの前記第２基板側に，前記第１蛍光体層の蛍光体と同一色相の可視光を発生させる蛍光体から形成される第２蛍光体層と；
を有することを特徴とする，請求項１〜１９のいずれかに記載のプラズマディスプレイパネル。
【請求項２１】
前記第１蛍光体層の厚さは，前記第２蛍光体層の厚さより厚く形成されることを特徴とする，請求項２０に記載のプラズマディスプレイパネル。
【請求項２２】
前記第２基板には，前記アドレス電極，前記第１電極，及び前記第２電極の平面パターンに対応した形状の黒色層をさらに有することを特徴とする，請求項１〜２１のいずれかに記載のプラズマディスプレイパネル。
【請求項２３】
前記第１方向に配列する前記放電セルには，放電維持期間で維持パルスが印加される前記第１電極と，前記放電維持期間で維持パルスが印加され，アドレス期間でスキャンパルスが印加される前記第２電極とが対をなして配置され，
前記第１方向に隣接する一対の前記放電セルにおいて，各々対応する前記第１電極と前記第２電極との配置順序は，同一であることを特徴とする，請求項１〜２２のいずれかに記載のプラズマディスプレイパネル。
【請求項２４】
前記第１方向に配列する前記放電セルには，放電維持期間で維持パルスが印加される前記第１電極と，前記放電維持期間で維持パルスが印加され，アドレス期間でスキャンパルスが印加される前記第２電極とが対をなして配置され，
前記第１方向に隣接する一対の前記放電セルにおいて，各々対応する前記第１電極と前記第２電極の配置順序は，反対であることを特徴とする，請求項１〜２２のいずれかに記載のプラズマディスプレイパネル。
【請求項２５】
前記アドレス電極は，前記放電セルの中心方向に突出される突出部を有することを特徴とする，請求項１〜２４のいずれかに記載のプラズマディスプレイパネル。
【請求項２６】
前記アドレス電極の突出部は，前記第１電極に突出部を有する場合，前記第１電極の突出部と同一平面上に形成され，前記第２電極に突出部を有する場合，前記第２電極の突出部と同一平面上に形成されることを特徴とする，請求項２５に記載のプラズマディスプレイパネル。
【請求項２７】
前記アドレス電極と前記第１基板面との間の距離は，前記第１電極に突出部を有する場合，前記第１電極の突出部と前記第１基板面との間の距離と同一であり，前記第２電極に突出部を有する場合，前記第２電極の突出部と前記第１基板面との間の距離と同一であることを特徴とする，請求項２６に記載のプラズマディスプレイパネル。
【請求項２８】
前記第２電極に突出部を有する場合，前記第２電極の突出部は，前記放電セルの一側の前記アドレス電極に向かって突設される突起を有することを特徴とする，請求項１〜２７に記載のプラズマディスプレイパネル。
【請求項２９】
前記第２電極の突出部及び前記突起は，前記放電セルの一側のアドレス電極に偏って形成されることを特徴とする，請求項２８に記載のプラズマディスプレイパネル。
【請求項３０】
前記第２電極の突出部に形成された前記突起と，前記放電セルの一側のアドレス電極との間の距離は，前記第２電極の突出部と他側のアドレス電極との間の距離より小さく形成されることを特徴とする，請求項２９に記載のプラズマディスプレイパネル。
【請求項３１】
前記第２基板の前記黒色層は，前記アドレス電極，前記第１電極，前記第２電極の突出部，及び前記突起に対応する形状に形成されることを特徴とする，請求項２８〜３０のいずれかに記載のプラズマディスプレイパネル。
【請求項３２】
前記第１電極は，前記放電セルにおいて，前記アドレス電極の長手方向の一側に配置されて，放電維持期間に維持パルスを印加され，
前記第２電極は，前記放電セルにおいて他側に配置されて，前記放電維持期間に維持パルスを印加され，アドレス期間にスキャンパルスを印加され，
前記第１電極及び第２電極は，前記アドレス電極の延在方向に第１電極，第２電極，第２電極，第１電極，第１電極，第２電極，第２電極，第１電極の順に繰り返し配置され，連続する第２電極及び第１電極と，連続する第１電極及び第２電極配置とにおいて，前記第１電極は，隣接する放電セルに共有されることを特徴とする，請求項１に記載のプラズマディスプレイパネル。
【請求項３３】
前記誘電層は，前記第２電極の突出部及び前記突起の周囲に形成され，前記突出部及び前記突起に均一な厚さで形成されることを特徴とする，請求項２８〜３１のいずれかに記載のプラズマディスプレイパネル。
【請求項３４】
前記誘電層は，前記第２電極に突出部を有する場合，前記第２電極の突出部の周囲に形成され，前記突出部の先端に形成される誘電層の厚さが，前記突出部の前記先端以外の箇所に形成される誘電層の厚さより薄く形成されることを特徴とする，請求項１３に記載のプラズマディスプレイパネル。
【請求項３５】
前記誘電層は，前記第２電極の突出部の周囲に形成され，前記突出部に形成される突起は，先端に行くほど一側に広くなる面積を有し，前記突出部に形成される誘電層の厚さは，前記突起に形成される誘電層の厚さ以下に形成されることを特徴とする，請求項２８〜３１のいずれかに記載のプラズマディスプレイパネル。
【請求項３６】
先端に行くほど一側に広くなる前記突起の形状は，前記放電セルの前記アドレス電極側に膨らんだ曲線状に形成されることを特徴とする，請求項３５に記載のプラズマディスプレイパネル。
【発明の詳細な説明】
【技術分野】
【０００１】
本発明はプラズマディスプレイパネルに係り，放電開始電圧を低くして発光効率を向上させるプラズマディスプレイパネルに関するものである。
【背景技術】
【０００２】
プラズマディスプレイパネル（ｐｌａｓｍａ  ｄｉｓｐｌａｙ  ｐａｎｅｌ：ＰＤＰ）の３電極面放電型ＰＤＰは，前面基板と背面基板とを備え，両基板の間に放電ガスを封入して形成される。前面基板は，その内表面に，一方向に伸びて形成される維持電極および走査電極を備えている。背面基板は，前面基板の内表面から一定距離だけ離隔され，維持電極および走査電極と交差する方向に伸びて形成されるアドレス電極を含む。
【０００３】
３電極面放電型ＰＤＰにおいては，独立的に制御される走査電極とアドレス電極とによるアドレス放電によって放電が行われ，前面基板の内表面に位置する維持電極と走査電極による維持放電が画像を具現する。
【０００４】
ＰＤＰはグロー放電（ｇｌｏｗ  ｄｉｓｃｈａｒｇｅ）を用いて可視光を発生させる。このグロー放電が起こった後，人の目に可視光が到逹するまでにはいくつかの段階を経る。すなわち，グロー放電が発生すれば，電子と気体の衝突によって励起された気体が生成される。励起された気体からは真空紫外線が発生し，真空紫外線が放電セル内の蛍光体に衝突することにより，可視光が生成され，可視光が透明な前面基板を介して人の目に到達されるのである。
【０００５】
上記のような段階を経て陰極と陽極に印加された入力エネルギー（ｉｎｐｕｔ  ｐｏｗｅｒ）が損失される。グロー放電は，放電開始電圧以上の高電圧を二つの電極の間に印加することにより起こる。すなわち，グロー放電が開始されるためには，かなり高い電圧が必要である。
【０００６】
また，放電が起こると，陰極と陽極の周辺の各誘電層に形成される空間電荷効果（ｓｐａｃｅ  ｃｈａｒｇｅ  ｅｆｆｅｃｔ）によって，陰極と陽極との間の電圧分布は歪んだ形態で現われる。すなわち，二つの電極の間には，カソードシース（ｃａｔｈｏｄｅ  ｓｈｅａｔｈ）領域，アノードシース（ａｎｏｄｅ  ｓｈｅａｔｈ）領域，およびポジティブカラム（ｐｏｓｉｔｉｖｅ  ｃｏｌｕｍｎ）領域が形成される。
【０００７】
カソードシース領域は，放電のために，両電極に印加された電圧の大部分を消費する陰極周辺の領域である。アノードシース領域は，電圧の一部を消費する陽極周辺の領域である。ポジティブカラム領域は，前記二つの領域の間で電圧をほとんど消費しない領域である。
【０００８】
カソードシース領域において，電子加熱効率（ｅｌｅｃｔｒｏｎ  ｈｅａｔｉｎｇ  ｅｆｆｉｃｉｅｎｃｙ）は誘電層の表面に形成されたＭｇＯ保護膜の二次電子係数（ｓｅｃｏｎｄａｒｙ  ｅｌｅｃｔｒｏｎ  ｃｏｅｆｆｉｃｉｅｎｔ）に依存する。また，ポジティブカラム領域において，入力エネルギーの大部分は電子加熱（ｅｌｅｃｔｒｏｎ  ｈｅａｔｉｎｇ）に消費される。
【０００９】
真空紫外線は，励起状態（ｅｘｃｉｔａｔｉｏｎ  ｓｔａｔｅ）のキセノン（Ｘｅ）気体が安定状態（ｇｒｏｕｎｄ  ｓｔａｔｅ）に転移される時に発生する。キセノン（Ｘｅ）の励起状態は，キセノン（Ｘｅ）気体と電子間の衝突によって生成される。
【００１０】
入力エネルギーに対する可視光の割合（発光効率）を高めるためには，キセノン（Ｘｅ）気体と電子の衝突が増加しなければならない。また，前記衝突を増加させるためには，電子加熱効率（ｅｌｅｃｔｒｏｎ  ｈｅａｔｉｎｇ  ｅｆｆｉｃｉｅｎｃｙ）が増加しなければならない。カソードシース領域では，入力エネルギーの大部分が消費されるが，電子加熱効率が低く，ポジティブカラム領域では，入力エネルギーの消費が少ないながらも電子加熱効率が非常に高い。したがって，高い発光効率はポジティブカラム領域（放電ギャップ）を増加させることにより得ることができる。
【００１１】
ここで，放電ギャップ（ポジティブカラム領域）の間にかかった電場（Ｅ）と気体密度（ｎ）の比（Ｅ／ｎ）の変化と，全体電子のなかで消費される電子の割合を調べる。同一比（Ｅ／ｎ）での電子消費の割合は，キセノン励起（Ｘｅ*），キセノンイオン（Ｘｅ＋），ネオン励起（Ｎｅ*），ネオンイオン（Ｎｅ＋）の順に大きくなると知られている。また，同一比（Ｅ／ｎ）では，キセノン（Ｘｅ）の分圧が増加するほど電子エネルギー（ｅｌｅｃｔｒｏｎ  ｅｎｅｒｇｙ）が減少すると知られている。
【００１２】
すなわち，電子エネルギーが減少すれば，キセノン（Ｘｅ）の分圧が増加する。この場合，キセノン励起（Ｘｅ*），キセノンイオン（Ｘｅ＋），ネオン励起（Ｎｅ*），ネオンイオン（Ｎｅ＋）で消費する電子のなかで，他の部分に比べてキセノン（Ｘｅ）の励起に消費される電子の割合が大きくなる。これによって発光効率が向上する。
【００１３】
前記のように，ポジティブカラム領域の増加は電子加熱効率を増加させる。そして，キセノン（Ｘｅ）分圧の増加は，電子のなかで，キセノン励起（Ｘｅ*）のために消費する電子加熱の割合を増加させる。したがって，両者共に電子加熱効率を増加させて発光効率を向上させることになる。
【発明の開示】
【発明が解決しようとする課題】
【００１４】
しかし，ポジティブカラム領域の増加，またはキセノン（Ｘｅ）分圧の増加は，放電開始電圧（ｇａｓ  ｂｒｅａｋｄｏｗｎ  ｖｏｌｔａｇｅ）を増加させ，ＰＤＰの製作費用を増加させる問題点を有する。
【００１５】
そこで，本発明は，このような問題に鑑みてなされたもので，その目的とするところは，ポジティブカラム領域の増加およびキセノン（Ｘｅ）分圧の増加を低い放電開始電圧で具現し，同時に発光効率を高めることのできるプラズマディスプレイパネルを提供することにある。
【課題を解決するための手段】
【００１６】
上記課題を解決するために，本発明のある観点によれば，所定の間隔を置いて対向配置され，所定の間隔による空間が複数の放電セルに区切られる，第１基板及び第２基板と，第１基板及び第２基板の間で，第１方向に延在して形成されるアドレス電極と，第１基板及び第２基板の間で，アドレス電極と離隔して第１方向と交差する第２方向に延在し，各々の放電セルに対応して形成される，第１電極及び第２電極と，を備え，第１電極及び第２電極は，第１基板及び第２基板の間で，相互に離隔し，対向して形成されており，第１電極または第２電極の少なくともいずれかは，放電セルの中心方向に突設される突出部を有することを特徴とする，プラズマディスプレイパネルが提供される。
【００１７】
放電ギャップの距離およびキセノンの分圧が同一である場合，対向放電構造に必要な放電開始電圧は面放電構造に必要な放電開始電圧より低い。そこで，プラズマディスプレイパネルにおいて，維持電極及び走査電極となる第１電極及び第２電極を対向させて対向放電構造とし，さらに，第１電極または第２電極の少なくともいずれかに，突出部を有することにより，放電セル内で第１電極及び第２電極間に形成される放電ギャップをショートギャップにして，維持放電の時に初期の放電開始電圧を低くすることができ，発光効率を高めることができる。また，突出部は，アドレス電極とのアドレス放電の時，放電現象を突出部の周囲に制限して，アドレス放電時に発生する不要な光量を低減させることができので，維持放電での画像表示への悪影響を防ぐことができる。
【００１８】
ここで，第１基板上に，複数の放電空間を隣接して形成する第１隔壁層と，第２基板上に，各々の放電空間に対向する複数の放電空間を隣接して形成する第２隔壁層と，を有し，第１基板及び第２基板の対向する一対の放電空間によって，放電セルを形成することができる。また，アドレス電極，第１電極，及び第２電極は，第１隔壁層と第２隔壁層との間に位置することができる。
【００１９】
第２隔壁層によって形成される放電空間は，第１隔壁層によって形成される放電空間より大きい容積を有する。第２隔壁層を前面板隔壁として形成される放電空間，すなわち前面基板側の放電セルが，第１隔壁層となる背面板隔壁によって形成される放電空間，すなわち背面基板側の放電セルの容積より大きく形成される場合，放電セル内で発生した可視光が前面基板を透過する透過率を向上させることができる。
【００２０】
第１隔壁層は，第１方向に延在する第１隔壁部材を有し，第２隔壁層は，第１方向に延在する第２隔壁部材を有することができる。また，第１隔壁層は，第１隔壁部材と交差して形成される第３隔壁部材をさらに有し，第２隔壁層は，第２隔壁部材と交差して形成される第４隔壁部材をさらに有することができる。したがって，第１隔壁部材と第３隔壁部材とは，第１基板側で各々の放電セルを独立的な放電空間に形成することができ，第２隔壁部材と第４隔壁部材とは，第２基板側で放電セルを独立的な放電空間に形成することができる。
【００２１】
また，アドレス電極は，第１隔壁層の第１隔壁部材と第２隔壁層の第２隔壁部材との間で，第１隔壁部材に沿って延在することができる。さらに，アドレス電極は，第２方向に隣接する放電セルの境界位置に配置されることができ，隣接した放電セルにその幅が１／２ずつかかる構造に形成できる。
【００２２】
第１電極及び第２電極は，放電セルに対応する部分に第１基板面に垂直な方向に延びて形成される拡張部と，第２方向に隣接する放電セルの境界位置に対応する部分に形成される狭小部と，を有する。第１電極及び第２電極に，第１基板面に垂直な方向に延長される拡張部を有することにより，拡張部によって広い面積にわたって誘導される対向放電は強い真空紫外線を生成し，強い真空紫外線は放電セルの内部の広い面積にわたって蛍光体層に衝突し，発生する可視光の光量を増大させることができる。
【００２３】
突出部は，ショートギャップを形成して，低電圧による維持放電を誘導するが，以後，第１電極及び第２電極の拡張部は，ロングギャップを形成して本格的な維持放電を形成する。これにより，維持放電の時，放電開始電圧は低くなって発光効率は高くなる。
【００２４】
上記の突出部は，拡張部から突出されているとよい。この時，突出部は，直方体状に突出して形成することができる。直方体状の突出部は，その先端で維持電極との対向放電の誘導を容易にする。さらに，第１電極及び第２電極は，金属電極で形成されることができる。すなわち，第１電極，第２電極，及びアドレス電極は，第１隔壁部材及び第２隔壁層による非放電領域に備えられ，前面基板に透過される可視光を遮断しないから，不透明材質で形成することができる。
【００２５】
第１電極及び第２電極と，アドレス電極とは，第１電極，第２電極，及びアドレス電極の外面に設けられる誘電層によって絶縁される。誘電層は壁電荷を蓄積し，各電極を絶縁する。また，誘電層は，外面に保護膜を備えるとよい。ＭｇＯ保護膜を用いれば，可視光非透過性の特性を有するＭｇＯでなることができ，放電開始電圧を一層低めることができる。
【００２６】
第２電極に突出部を有する場合，放電セルの一側のアドレス電極側に偏って形成される。これは，アドレス電極に印加されるアドレスパルスと走査電極に印加されるスキャンパルスによって，一つの放電セルを選択することができなければならないためである。また，放電セル内において，第２電極の突出部と一側のアドレス電極との間の距離は，第２電極の突出部と他側のアドレス電極との間の距離より小さく形成されるとよい。
【００２７】
第１電極及び第２電極の少なくとも一部は，アドレス電極と同一平面上に位置して形成される。こうして，アドレス電極と走査電極との間のアドレス放電を対向放電に誘導し，維持電極１と走査電極との間の維持放電を対向放電に誘導する。
【００２８】
アドレス電極と第１基板面との間の距離は，第１電極に突出部を有する場合，第１電極と第１基板面との間の距離と同一であり，第２電極に突出部を有する場合，第２電極の突出部と第１基板面との間の距離と同一に形成することができる。
【００２９】
また，或いは，アドレス電極の第１基板面に垂直な方向の厚さは，第１電極に突出部を有する場合，第１電極の突出部の第１基板面に垂直な方向の厚さより厚く形成され，第２電極に突出部を有する場合，第２電極の突出部の第１基板面に垂直な方向の厚さより厚く形成されてもよい。
【００３０】
放電セル内に形成される蛍光体層は，放電セルの第１基板側に形成される第１蛍光体層と，放電セルの第２基板側に，第１蛍光体層の蛍光体と同一色相の可視光を発生させる蛍光体から形成される第２蛍光体層と，を有することができる。第１蛍光体層と第２蛍光体層は，実質的に一つである放電セルの両側で可視光を発生させるので，発光効率を向上させることができる。
【００３１】
第１蛍光体層の厚さは，第２蛍光体層の厚さより厚く形成されるとよい。維持放電後，第１蛍光体層は，放電セルの内部で真空紫外線を吸収して前面基板側に向かう可視光を発生させる。第２蛍光体層は，放電セルの内部で真空紫外線を吸収して前面基板側に向かう可視光を発生させる。すなわち，第２蛍光体層は前面基板側で可視光を透過させることになるので，この透過をより容易にするために，第１蛍光体層に比べて，薄い厚さを有することが望ましい。これにより，真空紫外線の損失を最小化して発光効率を高めることができる。
【００３２】
第２基板には，アドレス電極，第１電極，及び第２電極の平面パターンに対応した形状の黒色層をさらに有するとよい。黒色層は外光を吸収してコントラストを向上させることができる。
【００３３】
第１方向に配列する放電セルには，放電維持期間で維持パルスが印加される第１電極と，放電維持期間で維持パルスが印加され，アドレス期間でスキャンパルスが印加される第２電極とが対をなして配置され，第１方向に隣接する一対の放電セルにおいて，各々対応する第１電極と第２電極との配置順序は，同一であってもよい。
【００３４】
または，第１方向に配列する放電セルには，放電維持期間で維持パルスが印加される第１電極と，放電維持期間で維持パルスが印加され，アドレス期間でスキャンパルスが印加される前記第２電極とが対をなして配置され，第１方向に隣接する一対の放電セルにおいて，各々対応する第１電極と第２電極の配置順序は，反対であってもよい。
【００３５】
アドレス電極は，放電セルの中心方向に突出される突出部を有してもよい。アドレス電極の突出部は，走査電極の突出部に対して一層小さいショートギャップを形成して，低電圧でアドレス放電ができるようにする。アドレス電極の突出部は，第１電極の突出部または第２電極の突出部と同一平面上に形成されることができる。
【００３６】
この時，アドレス電極の突出部は，第１電極に突出部を有する場合，第１電極の突出部と同一平面上に形成され，第２電極に突出部を有する場合，第２電極の突出部と同一平面上に形成されるとよい。
【００３７】
また，アドレス電極と第１基板面との間の距離は，第１電極に突出部を有する場合，第１電極の突出部と第１基板面との間の距離と同一であり，第２電極に突出部を有する場合，第２電極の突出部と第１基板面との間の距離と同一とすることができる。
【００３８】
第２電極に突出部を有する場合，第２電極の突出部は，放電セルの一側のアドレス電極に向かって突設される突起を有することができる。したがって，突出部，およびこれに形成される突起は，アドレス電極に対して小さいショートギャップを形成して，低い電圧でアドレス放電ができるようにする。
【００３９】
第２電極の突出部及び突起は，放電セルの一側のアドレス電極に偏って形成される。突出部は，放電セルの一側アドレス電極側に偏って形成されると，この突出部に形成される突起はアドレス電極側にさらに偏ることになる。
【００４０】
こうして，第２電極の突出部に形成された突起と，放電セルの一側のアドレス電極との間の距離は，第２電極の突出部と他側のアドレス電極との間の距離より小さく形成することができる。アドレス放電時に発生する光は維持放電で画像を表示するのに悪影響を及ぼすことがあるが，突起は，アドレス電極とのアドレス放電の時，放電現象を突出部の突起の周囲にさらに制限して，アドレス放電時に発生する不要な光量をさらに低減させることができる。
【００４１】
この時，第２基板の黒色層は，アドレス電極，第１電極，第２電極の突出部，及び突起に対応する形状に形成されるとよく，突出部に形成される突起に対応する形状の分だけさらに広く形成されるとよい。
【００４２】
第１電極は，放電セルにおいて，アドレス電極の長手方向の一側に配置されて，放電維持期間に維持パルスを印加され，第２電極は，放電セルにおいて他側に配置されて，放電維持期間に維持パルスを印加され，アドレス期間にスキャンパルスを印加され，第１電極及び第２電極は，アドレス電極の延在方向に第１電極，第２電極，第２電極，第１電極，第１電極，第２電極，第２電極，第１電極の順に繰り返し配置され，連続する第２電極及び第１電極と，連続する第１電極及び第２電極配置とにおいて，第１電極は，隣接する放電セルに共有されることができる。
【００４３】
誘電層は，第２電極の突出部及び突起の周囲に形成され，突出部及び突起に均一な厚さで形成することができる。これにより，突起とアドレス電極との間のアドレス放電を制限することができる。
【００４４】
誘電層は，第２電極に突出部を有する場合，第２電極の突出部の周囲に形成され，突出部の先端に形成される誘電層の厚さが，突出部の先端以外の箇所に形成される誘電層の厚さより薄く形成することができる。それにより，第２電極とアドレス電極との間のアドレス放電時に発生するプラズマ放電は，厚さの薄い誘電層の周囲に制限され，アドレス放電時に発生する光量が低減される。
【００４５】
誘電層は，第２電極の突出部の周囲に形成され，突出部に形成される突起は，先端に行くほど一側に広くなる面積を有し，突出部に形成される誘電層の厚さは，突起に形成される誘電層の厚さ以下に形成することができる。これにより，大きくなった面積を有する突起は，突出部の先端でアドレス電極との間にアドレス放電を制限する。
【００４６】
また，先端に行くほど一側に広くなる突起の形状は，放電セルのアドレス電極側に膨らんだ曲線状に形成されてもよい。突起はアドレス電極側に膨らんだ曲線を形成して，この部分にアドレス放電を制限することができる。
【発明の効果】
【００４７】
以上詳述したように本発明によれば，維持電極と走査電極とを対向放電構造に配置し，走査電極に突出部を備えることにより，放電維持期間の初期にショートギャップ放電を誘導して放電開始電圧を低め，放電が起これば対向放電のロングギャップ放電を形成して発光効率を向上させる効果があるので，発光効率を高めることができる。
【発明を実施するための最良の形態】
【００４８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４９】
（第１の実施の形態）
図１は第１の実施の形態によるプラズマディスプレイパネルの一部を分解して示す斜視図，図２は第１の実施の形態によるプラズマディスプレイパネルにおいて，電極と放電セルとの配置関係を概略的に示す平面から見た説明図，図３は，図１に示したプラズマディスプレイパネルを結合した状態で，ＩＩＩ−ＩＩＩ線に沿って切断した断面図である。
【００５０】
これらの図面を参照して本実施の形態のＰＤＰを説明すれば，基本的に所定の間隔で互いに対向配置される第１基板１０（以下，背面基板），第２基板２０（以下，前面基板と），および背面基板１０と前面基板２０との間に配置されて放電セル１８，２８を形成する第１隔壁層１６および第２隔壁層２６を備える。
【００５１】
第１隔壁層１６と第２隔壁層２６によって，それぞれ放電空間が区切られて形成される。そして前面及び背面の両側の放電空間は，一つの放電セル１８，２８を形成する。放電セル１８，２８内には，真空紫外線を吸収して可視光を放出する蛍光体層１９，２９が形成され，プラズマ放電により真空紫外線を発生させることができるように放電ガス（一例として，キセノン（Ｘｅ）及びネオン（Ｎｅ）などを含む混合ガス）が充電されている。
【００５２】
第１隔壁層１６（以下，背面板隔壁）と第２隔壁層２６（以下，前面板隔壁）は背面基板１０と前面基板２０との間に配置される。背面板隔壁１６は，背面基板１０上に，前面基板２０に向かって各々隣接して複数突設される。前面板隔壁２６は，前記背面板隔壁１６に対応して，前面基板２０上に，背面基板１０に向かって各々隣接して突設される。背面板隔壁１６は，背面基板１０に複数の放電空間が隣接するように区切って，背面基板１０側に放電セル１８を形成する。前面板隔壁２６は，前面基板２０に複数の放電空間が隣接するように区切って，前面基板２０側に放電セル２８を形成する。両側に互いに対向する放電空間によって，実質的に一つの放電セル１８，２８が形成される。
【００５３】
前面板隔壁２６によって形成される放電空間，すなわち前面基板２０側の放電セル２８は，背面板隔壁１６によって形成される放電空間，すなわち背面基板１０側の放電セル１８の容積より大きく形成されることが望ましい。この場合，放電セル１８，２８内で発生された可視光が前面基板２０に透過される透過率を向上させることができる。
【００５４】
背面板隔壁１６と前面板隔壁２６は，放電セル１８，２８を四角形または六角形のように多様な形状に形成することができる。本実施の形態は四角形に形成される放電セル１８，２８を例示している。
【００５５】
背面板隔壁１６は背面基板１０に形成され，第１隔壁部材１６ａと第３隔壁部材１６ｂとを有する。第１隔壁部材１６ａは，一方向（ｙ軸方向）に長く形成されて配置される。第３隔壁部材１６ｂは，第１隔壁部材１６ａと交差する方向（ｘ軸方向）に長く形成されて配置される。したがって，第１隔壁部材１６ａと第３隔壁部材１６ｂとは，背面基板１０側で各々の放電セル１８を独立的な放電空間に形成する。
【００５６】
前面板隔壁２６は前面基板２０に形成され，第２隔壁部材２６ａと第４隔壁部材２６ｂとを有する。第２隔壁部材２６ａは，前記第１隔壁部材１６ａに対応する形状で背面基板１０に向かって突設される。第４隔壁部材２６ｂは，第３隔壁部材１６ｂと対応する形状で背面基板１０に向かって突設される。したがって，第２隔壁部材２６ａと第４隔壁部材２６ｂとは互いに交差する方向に長く形成されて，前面基板２０側に放電セル２８を形成する。放電セル２８は背面基板１０側の放電セル１８に対応する。
【００５７】
蛍光体層１９，２９は，前記のような背面板隔壁１６と前面板隔壁２６とによって区切られた放電セル１８，２８内にそれぞれ形成される。すなわち，蛍光体層１９，２９は，背面基板１０の放電セル１８に形成される第１蛍光体層１９と，放電セル１８に対向する前面基板２０の放電セル２８に形成される第２蛍光体層２９とを有する。
【００５８】
第１蛍光体層１９と第２蛍光体層２９は，実質的に一つである放電セル１８，２８の両側で可視光を発生させるので，発光効率を向上させることができる。放電セル１８と対向する放電セル２８とは実質的に一つの放電セル１８，２８を形成する。したがって，放電セル１８，２８の内部にそれぞれ形成される第１，第２蛍光体層１９，２９は，真空紫外線の衝突によって同じ色の可視光を発生させる蛍光体で形成されることが望ましい。
【００５９】
この際，第１蛍光体層１９は，放電セル１８の内部を形成する第１隔壁部材１６ａの内面と第３隔壁部材１６ｂの内面，および放電セル１８内部に位置する背面基板１０の表面に形成される。また，第２蛍光体層２９は，放電セル２８の内部を形成する第２隔壁部材２６ａの内面と第４隔壁部材２６ｂの内面，および放電セル２８内部に位置する背面基板１０の表面に形成される。
【００６０】
一方，第１蛍光体層１９は，背面基板１０の表面の誘電層（図示せず）上に形成することができる。つまり，第１蛍光体層１９は，背面板隔壁１６を形成した後，誘電層表面に蛍光体を塗布して形成することができる。また，第１蛍光体層１９は，誘電層を背面基板１０に形成せずに，背面基板１０の表面に背面板隔壁１６を形成し，この背面基板１０の表面に蛍光体を塗布して形成することもできる。
【００６１】
同様に，第２蛍光体層２９は，前面基板２０表面に誘電層（図示せず）を形成し，前面板隔壁２６を形成した後，誘電層表面に蛍光体を塗布して形成することができる。また，第２蛍光体層２９は，誘電層を前面基板２０に形成せずに，前面基板２０の表面に前面板隔壁２６を形成し，前記前面基板２０表面に蛍光体を塗布して形成することもできる。
【００６２】
さらに，第１，第２蛍光体層１９，２９は，背面基板１０および前面基板２０をそれぞれ食刻して各基板１０，２０に放電セル１８，２８を形成した後，前記放電セル１８，２８の表面に蛍光体を塗布して形成することができる。この場合，背面板隔壁１６と背面基板１０とは同一材料からなり，前面板隔壁２６は前面基板２０と同一材料からなることになる。
【００６３】
維持放電後，第１蛍光体層１９は，放電セル１８の内部で真空紫外線を吸収して前面基板２０側に向かう可視光を発生させる。第２蛍光体層２９は，放電セル２８の内部で真空紫外線を吸収して前面基板２０側に向かう可視光を発生させる。また，背面基板１０に形成される第１蛍光体層１９の厚さｔ１は前面基板２０に形成される第２蛍光体層２９の厚さｔ２より厚く形成される（ｔ１＞ｔ２）ことが望ましい（図３参照）。
【００６４】
すなわち，第２蛍光体層２９は可視光を透過させることになるので，この透過をより容易にするために，第１蛍光体層１９に比べて，薄い厚さを有することが望ましい。これにより，真空紫外線の損失を最小化して発光効率を高めることができる。
【００６５】
第１，第２蛍光体層１９，２９に衝突する真空紫外線は，プラズマ放電により生成されて画像を具現する。プラズマ放電のために，アドレス電極１２と，第１電極１３１（以下，維持電極）および第２電極１３２（以下，走査電極という）は各放電セル１８，２８に対応して，背面基板１０と前面基板２０との間に設けられる。
【００６６】
アドレス電極１２は，背面基板１０と前面基板２０のｚ軸方向に対し，背面板隔壁１６と前面板隔壁２６との間で第１方向（ｙ軸方向）に沿って長く形成される。すなわち，アドレス電極１２は，第１隔壁部材１６ａに対応して，これと平行な方向（ｙ軸方向）に沿って長く形成される。また，複数のアドレス電極１２は，それぞれの第１隔壁部材１６ａに対応して，ｘ軸方向に，放電セル１８に対応する間隔を維持しながら互いに平行に配置される。
【００６７】
アドレス電極１２は，これと交差する方向（ｘ軸方向）に隣り合う一対の放電セル１８，２８に共有される（実質的に，一つの放電セル１８，２８とこれに隣り合う他の一つの放電セル１８，２８とが隣り合う一対の放電セル１８，２８を形成する。以下では，便宜上，隣接放電セルまたは一対の放電セルの参照番号を単に１８，２８のように付与する）。すなわち，アドレス電極１２は第１隔壁部材１６ａの中心に対応して設けられるので，ｘ軸方向に隣接した放電セル１８，１８にその幅が１／２ずつかかる構造に形成される（図２参照）。
【００６８】
アドレス電極１２は，背面基板１０側に設けられる第１隔壁部材１６ａと前面基板２０側に設けられる第２隔壁部材２６ａとの間に位置する。また，アドレス電極１２は，前面基板２０および背面基板１０の垂直断面（ｘ−ｚ断面）において，アドレス電極１２の長手方向（ｙ軸方向）の中心線と第１，第２隔壁部材１６ａ，２６ａの長手方向（ｙ軸方向）の中心線はＬで示すように一直線状態に配置される（図１参照）。
【００６９】
一方，維持電極１３１と走査電極１３２は，背面基板１０と前面基板２０とのｚ軸方向に対し，両側放電セル１８，２８を構成する背面板隔壁１６と前面板隔壁２６との間に位置する。また，維持電極１３１と走査電極１３２は，アドレス電極１２と電気的に絶縁され，アドレス電極１２と交差する第２方向（ｘ軸方向）に沿って長く形成される。
【００７０】
すなわち，維持電極１３１と走査電極１３２は，第３隔壁部材１６ｂと第４隔壁部材２６ｂとの間で，これらと平行な方向（ｘ軸方向）に長く形成される。維持電極１３１と走査電極１３２は，各放電セル１８，２８の両側に対をなすように配置される（図３参照）。
【００７１】
維持電極１３１と走査電極１３２は，第３隔壁部材１６ｂと第４隔壁部材２６ｂとの間で，アドレス電極１２の長手方向（ｙ軸方向）に一つずつ交互に配置される。したがって，維持電極１３１と走査電極１３２は，アドレス電極１２の長手方向（ｙ軸方向）に隣り合う放電セル１８，２８を区分する基準になることができる。
【００７２】
走査電極１３２は，アドレス電極１２とともにアドレス期間のアドレス放電に関与して，オンされる放電セル１８，２８を選択する役目をする。維持電極１３１と走査電極１３２は，放電維持期間の維持放電に関与して，画像を表示する役目をする。すなわち，維持電極１３１は，放電維持期間に維持パルスを印加する。走査電極１３２は，放電維持期間に維持パルスを印加し，アドレス期間でスキャンパルスを印加する。アドレス電極１２は，アドレス期間でアドレスパルスを印加する。もちろん，これらの電極はこれらの役割に限定されるものではない。
【００７３】
維持電極１３１と走査電極１３２は，実質的に一つである放電セル１８，２８をｚ軸方向の両側に区切るように，両基板１０，２０の間に備えられて対向放電構造を形成する。この対向放電構造は，面放電構造に比べ，維持放電のための放電開始電圧を低めることができる。
【００７４】
さらに，走査電極１３２は，放電セル１８，２８の中心に向かって突設される突出部１３２ａを備える。突出部１３２ａは，放電セル１８，２８内で維持電極１３１と走査電極１３２との間に形成される放電ギャップをショートギャップ（ｓｈｏｒｔ  ｇａｐ）にして，維持放電の時，初期の放電開始電圧を低めることができるようにする。
【００７５】
また，突出部１３２ａは，アドレス電極１２とのアドレス放電の時，放電現象を突出部１３２ａの周囲に制限して，アドレス放電時に発生する不要な光量を低減させる。アドレス放電時に発生する光は維持放電で画像を表示するのに悪影響を及ぼす。また，維持電極１３１と走査電極１３２は，より広い面積にわたって対向放電を誘導するため，各放電セル１８，２８に対応する部分に拡張部１３１ｂ，１３２ｂをそれぞれ備える（図４参照）。拡張部１３１ｂ，１３２ｂは，背面基板１０に垂直な方向（ｚ軸方向）に拡張形成される。
【００７６】
拡張部１３１ｂ，１３２ｂは，背面基板１０と前面基板２０の垂直方向に切断した断面（ｘ−ｚ断面）の構造において，この垂直方向長さ（ｈｖ）がこの水平方向長さ（ｈｈ）より長い断面構造を有する。拡張部１３１ｂ，１３２ｂによって広い面積にわたって誘導される対向放電は強い真空紫外線を生成し，強い真空紫外線は放電セル１８，２８の内部の広い面積にわたって第１，第２蛍光体層１９，２９に衝突し，発生する可視光の光量を増大させることができる。
【００７７】
突出部１３２ａは，走査電極１３２に印加される電圧を放電セル１８，２８の中心に印加する部分であって，走査電極１３２の他の部分に比べてより広い面積を有する拡張部１３２ｂに突設されることが望ましい。突出部１３２ａは多様な形状に形成することができるが，直方体状に突設されることが望ましい（図４参照）。直方体状の突出部１３２ａは，その先端で維持電極１３１との対向放電の誘導を容易にする。また，走査電極１３２の突出部１３２ａは，アドレス放電の時，アドレス電極１２との間で対向放電の誘導を容易にする。
【００７８】
維持電極１３１と走査電極１３２は，アドレス電極１２と交差する方向に長く形成され，背面基板１０と前面基板２０とに垂直方向に形成される拡張部１３１ｂ，１３２ｂを備えることにより，一直線状に形成されるアドレス電極１２との干渉なしに，円滑な交差配置ができるようにする（図４参照）。また，アドレス電極１２と背面基板１０との間の距離ｈ１は維持電極１３１と背面基板１０との間の距離ｈ２および走査電極１３２の突出部１３２ａと背面基板１０との間の距離ｈ３と同一である
【００７９】
距離ｈ１，ｈ２，ｈ３は，アドレス電極１２と走査電極１３２の突出部１３２ａとの間のアドレス放電を対向放電に誘導し，維持電極１３１と走査電極１３２の突出部１３２ａとの間の維持放電を対向放電に誘導する。
【００８０】
維持電極１３１と走査電極１３２の突出部１３２ａは，ショートギャップを形成して，低電圧による維持放電を誘導し，以後，維持電極１３１の拡張部１３１ｂと走査電極１３２の拡張部１３２ｂとは，ロングギャップを形成して本格的な維持放電を形成する。これにより，維持放電の時，放電開始電圧は低くなって発光効率は高くなる。
【００８１】
維持電極１３１と走査電極１３２およびアドレス電極１２は，通電性に優れた金属電極で形成可能である。すなわち，維持電極１３１，走査電極１３２，アドレス電極１２は，背面板隔壁１６と前面板隔壁２６とによる非放電領域に備えられ，前面基板２０に透過される可視光を遮断しないから，不透明材質で形成することができる。
【００８２】
維持電極１３１，走査電極１３２，およびアドレス電極１２は，外面に誘電層３４，３５を形成する（図３参照）。誘電層３４，３５は壁電荷を蓄積し，各電極を絶縁する。誘電層３４，３５と，これに埋め込まれる維持電極１３１，走査電極１３２，およびアドレス電極１２は，ＴＦＣＳ（Ｔｈｉｃｋ  Ｆｉｌｍ  Ｃｅｒａｍｉｃ  Ｓｈｅｅｔ）法により製作できる。すなわち，維持電極１３１，走査電極１３２，およびアドレス電極１２は別途に電極形成し，背面基板１０の背面板隔壁１６に結合して形成することができる。
【００８３】
維持電極１３１，走査電極１３２，およびアドレス電極１２をそれぞれ覆っている誘電層３４，３５は，その表面にＭｇＯ保護膜３６を備えることができる。特に，ＭｇＯ保護膜３６は放電セル１８，２８の内部で起こるプラズマ放電に露出する部分に形成できる。また，維持電極１３１，走査電極１３２，およびアドレス電極１２は，前面基板２０および背面基板１０に形成されるものではなく，両基板１０，２０の間に設けられる。
【００８４】
したがって，維持電極１３１，走査電極１３２，およびアドレス電極１２を覆っている誘電層３４，３５に塗布されるＭｇＯ保護膜３６は，可視光非透過性の特性を有するＭｇＯでなることができる。可視光非透過性ＭｇＯは可視光透過性ＭｇＯよりずっと高い二次電子放出係数（ｓｅｃｏｎｄａｒｙ  ｅｌｅｃｔｒｏｎ  ｅｍｉｓｓｉｏｎ  ｃｏｅｆｆｉｃｉｅｎｔ）値を有する。したがって，放電開始電圧を一層低めることができる。
【００８５】
一方，維持電極１３１と走査電極１３２は，放電セル１８，２８の両側（ｙ軸方向の両側）を形成する第３，第４隔壁部材１６ｂ，２６ｂに対応して，これらの間に設けられる。アドレス電極１２は放電セル１８，２８の他の両側（ｘ軸方向の両側）を形成する第１，第２隔壁部材１６ａ，２６ａに対応して，これらの間に設けられる。しかし，アドレス電極１２に印加されるアドレスパルスと走査電極１３２に印加されるスキャンパルスによって，一つの放電セル１８，２８を選択することができなければならない。
【００８６】
したがって，走査電極１３２の突出部１３２ａは，放電セル１８，２８のアドレス放電に関与するアドレス電極１２に隣接するように配置され，ｘ軸方向に隣り合う他の放電セル１８，２８のアドレス放電に関与するアドレス電極１２とは離れて配置される。すなわち，走査電極１３２の突出部１３２ａは一側アドレス電極１２に偏って形成される（図４参照）。
【００８７】
これをより具体的に説明すれば，走査電極１３２の突出部１３２ａは放電セル１８，２８を介してその両側に配置される両側アドレス電極１２，１２と相違した距離ｄ１，ｄ２を維持する（図２参照）。一側の距離ｄ１は，該当の放電セル１８，２８のアドレス放電に関与するアドレス電極１２と走査電極１３２突出部１３２ａとの間の距離である。他側の距離ｄ２は，隣接する他の放電セル１８，２８のアドレス放電に関与するアドレス電極１２と走査電極１３２の突出部１３２ａとの間の距離である。距離ｄ１は他側の距離ｄ２より短く形成される（ｄ１＜ｄ２）。
【００８８】
また，アドレス電極１２は同一誘電率を有する誘電層３５で取り囲まれるので，赤色（Ｒ），緑色（Ｇ），青色（Ｂ）の間で同一放電開始電圧を有することになる。したがって，アドレス放電の時，高い電圧マージンが形成される。一方，前面基板２０側には黒色層１３７が設けられる（図５参照，図１では便宜上省略）。黒色層１３７は外光を吸収してコントラストを向上させる。
【００８９】
黒色層１３７は前面基板２０の表面に形成され，第２蛍光体層２９で覆われることができる（図３参照）。また，黒色層１３７は前面基板２０に形成される第２蛍光体層２９上に形成されることもできる（図示せず）。
【００９０】
黒色層１３７は，前面基板２０の平面（ｘ−ｙ平面）方向に対し，アドレス電極１２と維持電極１３１および走査電極１３２に対応する形状に形成されることが望ましい。黒色層１３７は走査電極１３２の突出部１３２ａに対応する形状に形成されているとよい（図５参照）。これにより，黒色層１３７は外部の光を吸収してコントラストを向上させるともに，維持電極１３１および走査電極１３２によって可視光が遮断されること以外に前面基板２０に透過される可視光が遮断されることを無くすことができる。これによって発光効率が向上する。
【００９１】
また，維持電極１３１と走査電極１３２は，アドレス電極１２の長手方向（ｙ軸方向）に沿って平行に対をなして交番に配置される。維持電極１３１と走査電極１３２は，連続的に配置される二つの放電セル１８，２８に対し，維持電極１３１，走査電極１３２と維持電極１３１，走査電極１３２の順に繰り返し配置される（図２参照）。
【００９２】
この場合，隣接した放電セル１８，２８の第３，第４隔壁部材１６ｂ，２６ｂの間には，一側の放電セル１８，２８の走査電極１３２と他側の放電セル１８，２８の維持電極１３１が並んで設けられる。
【００９３】
以下，他の実施の形態について説明する。以下の実施の形態は，第１の実施の形態とその構成が概して類似ないし同一である。したがって，ここでは類似ないし同一部分に対する詳細説明を省略し，異なる部分について説明する。
【００９４】
（第２の実施の形態）
図６は，第２の実施の形態によるプラズマディスプレイパネルにおいて，電極と放電セルの配置関係を概略的に示す平面図である。図６を参照すれば，維持電極２３１と走査電極２３２は，アドレス電極１２の長手方向（ｙ軸方向）に沿って平行に対をなすように交互に配置される。維持電極２３１と走査電極２３２は，連続的に配置される二つの放電セル１８，２８に対して，維持電極２３１，走査電極２３２と走査電極２３２，維持電極２３１の順に繰り返し配置される。
【００９５】
この場合，隣接した放電セル１８，２８の一側の第３，第４隔壁部材１６ｂ，２６ｂの間には両側放電セル１８，２８の走査電極２３２が備えられ，他の側の第３，第４隔壁部材１６ｂ，２６ｂの間には維持電極２３１が設けられる。この際，維持電極２３１は隣り合う放電セル１８，２８に共有される構造に形成できる。
【００９６】
（第３の実施の形態）
図７は図３に対応する図面であり，第３の実施の形態による断面図である。図７を参照すれば，背面板隔壁１６はアドレス電極１２と平行な方向に形成される第１隔壁部材１６ａからなり，前面板隔壁２６はアドレス電極１２と平行な方向に形成される第２隔壁部材２６ａから形成される。したがって，放電セル１８，２８は，アドレス電極１２の伸張方向（ｙ軸方向）に沿って連続して連結されるストライプタイプに形成される。
【００９７】
（第４の実施の形態）
図８は本実施の形態によるプラズマディスプレイパネルの一部を分解して示す斜視図，図９は本実施の形態によるプラズマディスプレイパネルで電極と放電セルの配置関係を概略的に示す平面図，図１０は図８に示したプラズマディスプレイパネルを結合した状態でＸ−Ｘ線に沿って切断した断面図，図１１は本実施の形態によるプラズマディスプレイパネルにおいて，電極の構造を概略的に示す斜視図，図１２は本実施の形態によるプラズマディスプレイパネルにおいて，放電セルと黒色層の配置関係を概略的に示す平面図である。図８〜１２は，第１の実施の形態の図１〜図５に対応する図面である。
【００９８】
本実施の形態は，走査電極４３２の突出部４３２ａに突起４３２ｃをさらに備えている。この際，走査電極４３２の突出部４３２ａは，放電セル１８，２８の一側アドレス電極１２側に偏って形成されるので，この突出部４３２ａに形成される突起４３２ｃはアドレス電極１２側にさらに偏ることになる。すなわち，突出部４３２ａは拡張部４３２ｂから放電セル１８，２８の中心に向かって突設され，突起４３２ｃは突出部４３２ａからアドレス電極１２に向かって突設される。
【００９９】
したがって，走査電極４３２の突出部４３２ａ，およびこれに形成される突起４３２ｃは，アドレス電極１２に対してさらに小さいショートギャップを形成して，低い電圧でアドレス放電ができるようにする。また，アドレス電極１２に向かう突起４３２ｃが突出部４３２ａに形成されるので，走査電極４３２の突出部４３２ａは一側アドレス電極１２に偏らなくてもよい。
【０１００】
突起４３２ｃの形成によって，走査電極４３２の突起４３２ｃと一側アドレス電極１２との距離ｄ３は，走査電極４３２の突出部４３２ａと他側のアドレス電極１２との距離ｄ４より短く形成される（ｄ３＜ｄ４）（図９参照）。
【０１０１】
また，アドレス放電時に発生する光は維持放電で画像を表示するのに悪影響を及ぼすことがあるが，突起４３２ｃは，アドレス電極１２とのアドレス放電の時，放電現象を突出部４３２ａの突起４３２ｃの周囲にさらに制限して，アドレス放電時に発生する不要な光量をさらに低減させることができる。
【０１０２】
黒色層４３７は，第１の実施の形態と同様に，前面基板２０のアドレス電極１２，維持電極４３１，および走査電極４３２に対応する形状に形成される。すなわち，黒色層４３７は，走査電極４３２の突出部４３２ａに形成される突起４３２ｃに対応する形状の分だけさらに広く形成されることが望ましい（図１２参照，便宜上図８では黒色層省略）。
【０１０３】
また，維持電極４３１と走査電極４３２は，アドレス電極１２の長手方向（ｙ軸方向）に沿って平行に交互に配置される。維持電極４３１と走査電極４３２は，連続的に配置される二つの放電セル１８，２８に対し，維持電極４３１，走査電極４３２と維持電極４３１，走査電極４３２の順に繰り返し配置される。この場合，隣接した放電セル１８，２８の第３，第４隔壁部材１６ｂ，２６ｂの間には，一側の放電セル１８，２８の走査電極４３２と他側の放電セル１８，２８の維持電極４３１が設けられる（図９参照）。
【０１０４】
（第５の実施の形態）
図１３は第５の実施の形態を示すものであり，第４の実施の形態の構成に，第３の実施の形態の背面板隔壁１６と前面板隔壁２６の構造を適用している。すなわち，第５の実施の形態において，背面板隔壁１６は，アドレス電極１２と平行な方向に形成される第１隔壁部材１６ａからなり，前面板隔壁２６は前記アドレス電極１２と平行な方向に形成される第２隔壁部材２６ａから形成される。したがって，放電セル１８，２８は，アドレス電極１２の伸張方向（ｙ軸方向）に沿って連続的に連結されるストライプタイプに形成される。
【０１０５】
（第６の実施の形態）
図１４は第６の実施の形態を示すものである。第４の実施の形態の維持電極４３１と走査電極４３２との配置が異なるものであり，図１４に示したように，維持電極６３１と走査電極６３２は，アドレス電極１２の長手方向（ｙ軸方向）に沿って各放電セル１８，２８に平行に対をなすように配置される。維持電極６３１と走査電極６３２は，連続的に配置される二つの放電セル１８，２８に対し，維持電極６３１，走査電極６３２，および走査電極６３２，維持電極６３１の順に繰り返し配置される。
【０１０６】
この場合，隣接した放電セル１８，２８の一側の第３，第４隔壁部材１６ｂ，２６ｂの間には両側の放電セル１８，２８の走査電極６３２が対をなすように備えられ，他側の第３，第４隔壁部材１６ｂ，２６ｂの間には両側の放電セル１８，２８の維持電極６３１が対をなすように設けられる。この際，維持電極６３１は隣り合う放電セル１８，２８にそれぞれ配置できる（図１４参照）。
【０１０７】
（第７の実施の形態）
また，第６の実施の形態の維持電極６３１と走査電極６３２において，図１５に示すように，走査電極７３２は走査電極６３２と同様で，維持電極７３１を隣り合う放電セル１８，２８に共有構造に配置したものが，第７の実施の形態である。
【０１０８】
（第８〜第１１の実施の形態）
図１６〜図１９はプラズマディスプレイパネルにおいて，電極と放電セルの配置関係の異なる第８〜第１１の実施の形態を概略的に示す平面図である。図１６の第８の実施の形態において，走査電極８３２は突出部８３２ａおよび突起８３２ｃを備えている。維持電極８３１は，第４の実施の形態の維持電極４３１と同様である。図１６〜図１９は，走査電極の突出部および突起を取り囲む誘電層３４をより多様に形成した実施形態を示すものである。
【０１０９】
走査電極８３２の突出部８３２ａおよび突起８３２ｃの周囲に形成される誘電層３４ａ，３４ｂ，３４ｃ，３４ｄは，その厚さおよび模様を適切に調節して形成できる。突出部８３２および突起８３２ｃに形成される誘電層３４ａ，３４ｂ，３４ｃ，３４ｄの厚さは，他の部分に形成される誘電層３４の厚さに比べて相対的に薄く形成できる。それにより，走査電極８３２とアドレス電極１２との間のアドレス放電時に発生するプラズマ放電は厚さの薄い誘電層３４ａ，３４ｂ，３４ｃ，３４ｄの周囲に制限される。また，アドレス放電時に発生する光量が低減される。
【０１１０】
図１６に示した第８の実施の形態は，走査電極８３２の突出部８３２ａおよび突起８３２ｃの周囲に設けられる誘電層３４ａを均一な厚さに形成する。これにより，突起８３２ｃとアドレス電極１２との間のアドレス放電を制限する。
【０１１１】
図１７に示した第９の実施の形態は，走査電極９３２の突出部９３２ａ先端に形成される誘電層３４ｂの厚さを他の部分に比べて薄く形成しており，維持電極９３１は，第８の実施の形態の維持電極８３１と同様である。これにより，突出部９３２ａの周囲の厚さの薄い誘電層３４ｂとアドレス電極１２との間のアドレス放電を制限する。
【０１１２】
図１８に示した第１０の実施の形態において，走査電極１０３２は突出部１０３２ａと突起１０３２ｃを備える。突起１０３２ｃは突出部１０３２ａに形成され，走査電極１０３２から突出部１０３２ａ側に行くほど，アドレス電極１２側に広くなる面積を有する。維持電極１０３１は，第８の実施の形態の維持電極８３１と同様である。
【０１１３】
走査電極１０３２の突出部１０３２ａと突起１０３２ｃに形成される誘電層３４ｃは，同一厚さまたは他の部分より薄い厚さに形成できる。これにより，大きくなった面積を有する突起１０３２ｃは，突出部１０３２ａの先端でアドレス電極１２との間にアドレス放電を制限する。
【０１１４】
図１９に示した第１１の実施の形態は，図１８に示した第１０の実施の形態の変形例である。維持電極１１３１は，第８の実施の形態の維持電極８３１と同様である。走査電極１１３２において，突出部１１３２ａに形成される突起１１３２ｃを直線に形成せずに，曲線に形成している。突起１１３２ｃはアドレス電極１２側に膨らんだ曲線を形成して，この部分にアドレス放電を制限する。
【０１１５】
（第１２の実施の形態）
図２０は第１２の実施の形態によるプラズマディスプレイパネルの一部を示す斜視図，図２１は第１２の実施の形態によるプラズマディスプレイパネルで電極と放電セルの配置関係を概略的に示す平面図，図２２は図２０に示したプラズマディスプレイパネルを結合した状態でＸＸＩＩ−ＸＸＩＩ線に沿って切断した断面図である。第１２の実施の形態は，第１の実施の形態に比べて，維持電極１２３１にも突出部１２３１ａをさらに備えている。
【０１１６】
すなわち，維持電極１２３１と走査電極１２３２は，放電セル１８，２８の両側から放電セル１８，２８の中心に向かって突設される突出部１２３１ａ，１２３２ａをそれぞれ備えている。両側の突出部１２３１ａ，１２３２ａは，放電セル１８，２８内で二つの電極１２３１，１２３２との間に形成される放電ギャップをショートギャップ（ｓｈｏｒｔ  ｇａｐ）にして，維持放電初期の放電開始電圧を低めることができるようにする。
【０１１７】
突出部１２３１ａ，１２３２ａは維持電極１２３１と走査電極１２３２とに印加される電圧を放電セル１８，２８の中心側に印加する部分であって，他の部分より広い面積に形成される拡張部１２３１ｂ，１２３２ｂから突設されることが望ましい。突出部１２３１ａ，１２３２ａは多様な形状に形成できるものであるが，突出部１２３１ａ，１２３２ａの先端で対向放電が容易に誘導され，走査電極１２３２の突出部１２３２ａとアドレス電極１２との間に対向放電が容易に誘導されるように，角形，すなわち直方体状に突設されることが望ましい（図２３参照）。
【０１１８】
維持電極１２３１と走査電極１２３２は，維持電極１２３１，走査電極１２３２，の突出部１２３１ａ，１２３２ａによって低電圧で維持放電を誘導した後，拡張部１２３１ｂ，１２３２ｂでロングギャップを形成して本格的な維持放電を形成する。これにより，放電開始電圧が低くなって発光効率が高くなる。
【０１１９】
図２４は本実施の形態によるプラズマディスプレイパネルにおいて，放電セルと黒色層との配置関係を概略的に示す平面図である。図２４に示すように，維持電極１２３１と走査電極１２３２は，アドレス電極１２の長手方向（ｙ軸方向）に平行に対をなして交互に配置され，連続的に配置される放電セル１８，２８に対して，維持電極１２３１，走査電極１２３２と走査電極１２３２，維持電極１２３１の配列を順次繰り返して成すことができる。
【０１２０】
この場合，隣接した放電セル１８，２８の第３，第４隔壁部材１６ｂ，２６ｂには両側放電セル１８，２８の走査電極１２３２が備えられ，この第３，第４隔壁部材１６ｂ，２６ｂに隣り合う他の第３，第４隔壁部材１６ｂ，２６ｂには両側放電セル１８，２８の維持電極１２３１が設けられる。また，第１の実施の形態と同様に，黒色層１２３７は，前面基板２０のアドレス電極１２，維持電極１２３１，および走査電極１２３２に対応する形状に形成される。
【０１２１】
（第１３，第１４の実施の形態）
図２５は図２２に対応する図面で，第１３の実施の形態による断面図であり，維持電極１２３１及び走査電極１２３２は，維持電極１３３１及び走査電極１３３２となっている。また，図２６は図２２に対応する図面で，第１４実施形態による断面図であり，維持電極１２３１及び走査電極１２３２は，維持電極１４３１及び走査電極１４３２となっている。
【０１２２】
また，第１２の実施の形態と同様に，第１３の実施の形態においては，突出部１３３１ａ，１３３２ａは維持電極１３３１と走査電極１３３２とに印加される電圧を放電セル１８，２８の中心側に印加する部分であって，他の部分より広い面積に形成される拡張部１３３１ｂ，１３３２ｂから突設されることが望ましい。さらに，第１４の実施の形態においては，突出部１４３１ａ，１４３２ａは維持電極１４３１と走査電極１４３２とに印加される電圧を放電セル１８，２８の中心側に印加する部分であって，他の部分より広い面積に形成される拡張部１４３１ｂ，１４３２ｂから突設されることが望ましい。
【０１２３】
第１３及び第１４，２つの実施の形態において，背面板隔壁１６はアドレス電極１２と平行な方向に形成される第１隔壁部材１６ａからなり，前面板隔壁２６はアドレス電極１２と平行な方向に形成される第２隔壁部材２６ａから形成される。したがって，両側放電セル１８，２８はアドレス電極１２の伸張方向（ｙ軸方向）に連続的に連結されるストライプタイプに形成される。
【０１２４】
また，図２６の第１４の実施の形態において，アドレス電極１２の基板１０，２０の垂直方向（ｚ軸方向）に測定される厚さｔ３は，維持電極１４３１の突出部１４３１ａ，および走査電極１４３２の突出部１４３２ａの前記方向（ｚ軸方向）に測定されるそれぞれの厚さｔ４，ｔ５より厚く形成される。これにより，アドレス電極１２と走査電極１４３２の突出部１４３２ａとの間に広い面積の対向放電ができるようにする。
【０１２５】
（第１５の実施の形態）
図２７は本発明の第１５の実施の形態によるプラズマディスプレイパネルの一部を分解して示す斜視図，図２８は本実施の形態によるプラズマディスプレイパネルにおいて，電極と放電セルの配置関係を概略的に示す平面図，図２９は図２７に示したプラズマディスプレイパネルを結合した状態でＸＸＩＸ−ＸＸＩＸ線に沿って切断した断面図，図３０は本実施の形態によるプラズマディスプレイパネルで電極の構造を概略的に示す斜視図，図３１は本実施の形態によるプラズマディスプレイパネルで放電セルと黒色層との配置関係を概略的に示す平面図である。これら図面は第１２の実施の形態の図２０〜図２４に対応する図面である。
【０１２６】
第１５の実施の形態は，アドレス電極１２にも突出部１２ａを備えている。突出部１２ａは，維持電極１５３１の突出部１５３１ａと走査電極１５３２の突出部１５３２ａに向かって放電セル１８，２８の中心側に突設される。アドレス電極１２の突出部１２ａは，走査電極１５３２の突出部１５３２ａに対して一層小さいショートギャップを形成して，低電圧でアドレス放電ができるようにする。
【０１２７】
黒色層１５３７は，第１２の実施の形態と同様に，アドレス電極１２と維持電極１５３１および走査電極１５３２の前面基板２０に対応する形状に形成され，さらにアドレス電極１２の突出部１２ａに対応する形状に形成されることが望ましい（図３１参照）。
【０１２８】
（第１６の実施の形態）
図３２は図２９に対応する図面で，第１６の実施の形態による断面図である。第１６の実施の形態は，第１５の実施の形態の構成に，第１３の実施の形態および第１４の実施の形態の背面板隔壁１６と前面板隔壁２６の構造を適用している。この第１６の実施の形態において，アドレス電極１２の基板１０，２０の垂直方向（ｚ軸方向）に測定される厚さｔ６は，維持電極１６３１の突出部１６３１ａおよび走査電極１６３２の突出部１６３２ａの前記方向（ｚ軸方向）に測定されるそれぞれの厚さｔ７，ｔ８より薄く形成される。これにより，アドレス電極１２と走査電極１６３２の突出部１６３２ａとの間に対向放電ができるようにする。
【０１２９】
（第１７〜第２０の実施の形態）
図３３〜図３６は第１７の実施の形態〜第２０の実施の形態によるプラズマディスプレイパネルにおいて，電極と放電セルの配置関係を概略的に示す平面図である。これら図面は，アドレス電極１２に突出部１２ａを備えることにより，アドレス電極１２の突出部１２ａ，維持電極１７３１の突出部１７３１ａ，および走査電極１７３２の突出部１７３２ａをより多様な形状および大きさに形成することができる実施形態を示す（図３３参照）。
【０１３０】
第１７の実施の形態は，維持電極１７３１の突出部１７３１ａと走査電極１７３２の突出部１７３２ａを，誘電層３４，３５を介してアドレス電極１２に絶縁構造で連結するとともに，一方向（ｙ軸方向）にアドレス電極１２の突出部１２ａと離隔し，他方向（ｘ軸方向）に，アドレス電極１２の突出部１２ａと同様に形成された例を示す。この際，維持電極１７３１の突出部１７３１ａと走査電極１７３２の突出部１７３２ａのｙ軸方向の各長さは同一である。
【０１３１】
図３４は，第１８の実施の形態であり，維持電極１８３１の突出部１８３１ａと走査電極１８３２の突出部１８３２ａをアドレス電極１２と離隔し，一方向（ｙ軸方向）にアドレス電極１２の突出部１２ａと離隔することにより，形成される。この際，アドレス電極１２の突出部１２ａは，一方向（ｘ軸方向）に維持電極１８３１の突出部１８３１ａと走査電極１８３２の突出部１８３２ａとの間に位置する。
【０１３２】
図３５は，第１９の実施の形態であり，維持電極１９３１の突出部１９３１ａと走査電極１９３２の突出部１９３２ａをアドレス電極１２と離隔し，一方向（ｙ軸方向）にアドレス電極１２の突出部１２ａと離隔し，その長さを互いに違うように形成される。この際，アドレス電極１２の突出部１２ａは一方向（ｘ軸方向）に維持電極１９３１の突出部１９３１ａと走査電極１９３２の突出部１９３２ａとの間に位置し，維持電極１９３１側に偏って形成される。
【０１３３】
図３６は，第２０の実施の形態であり，維持電極２０３１の突出部２０３１ａと走査電極２０３２の突出部２０３２ａをアドレス電極１２と離隔し，一方向（ｙ軸方向）にアドレス電極１２の突出部１２ａと離隔することにより，形成される。この際，アドレス電極１２の突出部１２ａは一方向（ｘ軸方向）に維持電極２０３１の突出部２０３１ａと走査電極２０３２の突出部２０３２ａとの間に位置する。また，走査電極２０３２の突出部２０３２ａが維持電極２０３１の突出部２０３１ａより大きな幅（ｘ軸方向）に形成される。
【０１３４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１３５】
本発明は，プラズマディスプレイパネルに適用可能であり，放電開始電圧を低くして発光効率を向上させるプラズマディスプレイパネルに適用可能である。
【図面の簡単な説明】
【０１３６】
【図１】第１の実施の形態によるプラズマディスプレイパネルの一部を分解して示す斜視図である。
【図２】第１の実施の形態によるプラズマディスプレイパネルにおいて，電極と放電セルの配置関係を概略的に示す説明図である。
【図３】図１に示すプラズマディスプレイパネルを結合した状態にして，ＩＩＩ−ＩＩＩ線に沿って切断した断面図である。
【図４】第１の実施の形態によるプラズマディスプレイパネルにおいて，電極の構造を概略的に示す斜視図である。
【図５】第１の実施の形態によるプラズマディスプレイパネルにおいて，放電セルと黒色層との配置関係を概略的に示す説明図である。
【図６】第２の実施の形態によるプラズマディスプレイパネルにおいて，電極と放電セルの配置関係を概略的に示す説明図である。
【図７】第３の実施の形態を図１のＩＩＩ−ＩＩＩ線と同じ線に沿って切断した断面図である。
【図８】第４の実施の形態によるプラズマディスプレイパネルの一部を分解して示す斜視図である。
【図９】第４の実施の形態によるプラズマディスプレイパネルにおいて，電極と放電セルの配置関係を概略的に示す説明図である。
【図１０】図８に示すプラズマディスプレイパネルを結合した状態にして，Ｘ−Ｘ線に沿って切断した断面図である。
【図１１】第４の実施の形態によるプラズマディスプレイパネルにおいて，電極の構造を概略的に示す斜視図である。
【図１２】第４の実施の形態によるプラズマディスプレイパネルにおいて，放電セルと黒色層との配置関係を概略的に示す説明図である。
【図１３】第５の実施の形態を図８のＸ−Ｘ線と同じ線に沿って切断した断面図である。
【図１４】第６の実施の形態によるプラズマディスプレイパネルにおいて，電極と放電セルの配置関係を概略的に示す説明図である。
【図１５】第７の実施の形態によるプラズマディスプレイパネルにおいて，電極と放電セルの配置関係を概略的に示す説明図である。
【図１６】第８の実施の形態によるプラズマディスプレイパネルにおいて，電極と放電セルの配置関係を概略的に示す説明図である。
【図１７】第９の実施の形態によるプラズマディスプレイパネルにおいて，電極と放電セルの配置関係を概略的に示す説明図である。
【図１８】第１０の実施の形態によるプラズマディスプレイパネルにおいて，電極と放電セルの配置関係を概略的に示す説明図である。
【図１９】第１１の実施の形態によるプラズマディスプレイパネルにおいて，電極と放電セルの配置関係を概略的に示す説明図である。
【図２０】第１２の実施の形態によるプラズマディスプレイパネルの一部を分解して示す斜視図である。
【図２１】第１２の実施の形態によるプラズマディスプレイパネルにおいて，電極と放電セルの配置関係を概略的に示す説明図である。
【図２２】図２０に示すプラズマディスプレイパネルを結合した状態にして，ＸＸＩＩ−ＸＸＩＩ線に沿って切断した断面図である。
【図２３】第１２の実施の形態によるプラズマディスプレイパネルにおいて，電極の構造を概略的に示す斜視図である。
【図２４】第１２の実施の形態によるプラズマディスプレイパネルにおいて，放電セルと黒色層との配置関係を概略的に示す説明図である。
【図２５】第１３の実施の形態を図２０のＸＸＩＩ−ＸＸＩＩ線と同じ線に沿って切断した断面図である。
【図２６】第１４の実施の形態を図２０のＸＸＩＩ−ＸＸＩＩ線と同じ線に沿って切断した断面図である。
【図２７】第１５の実施の形態によるプラズマディスプレイパネルの一部を分解して示す斜視図である。
【図２８】第１５の実施の形態によるプラズマディスプレイパネルにおいて，電極と放電セルの配置関係を概略的に示す説明図である。
【図２９】図２７に示すプラズマディスプレイパネルを結合した状態にして，ＸＸＩＸ−ＸＸＩ線に沿って切断した断面図である。
【図３０】第１５の実施の形態によるプラズマディスプレイパネルにおいて，電極の構造を概略的に示す斜視図である。
【図３１】第１５の実施の形態によるプラズマディスプレイパネルにおいて，放電セルと黒色層との配置関係を概略的に示す説明図である。
【図３２】第１６の実施の形態を図２７のＸＸＩＸ−ＸＸＩＸ線と同じ線に沿って切断した断面図である。
【図３３】第１７の実施の形態によるプラズマディスプレイパネルにおいて，電極と放電セルの配置関係を概略的に示す説明図である。
【図３４】第１８の実施の形態によるプラズマディスプレイパネルにおいて，電極と放電セルの配置関係を概略的に示す説明図である。
【図３５】第１９の実施の形態によるプラズマディスプレイパネルにおいて，電極と放電セルの配置関係を概略的に示す説明図である。
【図３６】第２０の実施の形態によるプラズマディスプレイパネルにおいて，電極と放電セルの配置関係を概略的に示す説明図である。
【符号の説明】
【０１３７】
１０      第１基板（背面基板）
１２      アドレス電極
１６      第１隔壁層（背面板隔壁）
１６ａ    第１隔壁部材
１６ｂ    第３隔壁部材
１８      放電セル
１９      第１蛍光体層
２０      第２基板（前面基板）
２６      第２隔壁層（前面板隔壁）
２６ａ    第２隔壁部材
２６ｂ    第４隔壁部材
２８      放電セル
２９      第２蛍光体層
３４      誘電層
３５      誘電層
３６      ＭｇＯ保護膜
１３１      維持電極
１３２      走査電極
１３２ａ    突出部
１３７      黒色層
【図１】
2006147539.tif 000003
【図２】
2006147539.tif 000004
【図３】
2006147539.tif 000005
【図４】
2006147539.tif 000006
【図５】
2006147539.tif 000007
【図６】
2006147539.tif 000008
【図７】
2006147539.tif 000009
【図８】
2006147539.tif 000010
【図９】
2006147539.tif 000011
【図１０】
2006147539.tif 000012
【図１１】
2006147539.tif 000013
【図１２】
2006147539.tif 000014
【図１３】
2006147539.tif 000015
【図１４】
2006147539.tif 000016
【図１５】
2006147539.tif 000017
【図１６】
2006147539.tif 000018
【図１７】
2006147539.tif 000019
【図１８】
2006147539.tif 000020
【図１９】
2006147539.tif 000021
【図２０】
2006147539.tif 000022
【図２１】
2006147539.tif 000023
【図２２】
2006147539.tif 000024
【図２３】
2006147539.tif 000025
【図２４】
2006147539.tif 000026
【図２５】
2006147539.tif 000027
【図２６】
2006147539.tif 000028
【図２７】
2006147539.tif 000029
【図２８】
2006147539.tif 000030
【図２９】
2006147539.tif 000031
【図３０】
2006147539.tif 000032
【図３１】
2006147539.tif 000033
【図３２】
2006147539.tif 000034
【図３３】
2006147539.tif 000035
【図３４】
2006147539.tif 000036
【図３５】
2006147539.tif 000037
【図３６】
2006147539.tif 000038